(57)【要約】【課題】蓋体を容器本体に外嵌合をする包装用容器において、見映えが良好でありながら、蓋体を開封しやすくした包装用容器を提供する。【解決手段】包装用容器１は、容器本体２と、容器本体２に外嵌合する蓋体３と、を備え、容器本体２は、外縁部に、外側に張り出させた本体フランジ部２３と、本体フランジ部２３の内側部分を下向きに傾斜させた傾斜面部２３ｂと、傾斜面部２３ｂの一部に所定深さで陥没させた押込み凹部２４と、を備え、蓋体３は、本体フランジ部２３を覆い、押込み凹部２４の上方に位置する部分を押圧面部３４とした蓋体フランジ部２３と、蓋体フランジ部２３の外縁部から下方に延びるスカート部３５と、スカート部３５の下端部付近に容器内側に突出して本体フランジ部２３に係止する係止部３５ａと、を備えたことを特徴とする。【選択図】図１
2019206373.tif 000002
【特許請求の範囲】
【請求項１】
容器本体と、該容器本体に外嵌合する蓋体と、を備えた包装用容器であって、
該容器本体は、外縁部に、外側に張り出す本体フランジ部と、該本体フランジ部の内側部分を下向きに傾斜させた傾斜面部と、該傾斜面部の一部に所定深さで陥没させた押込み凹部と、を備え、
該蓋体は、該本体フランジ部を覆い、該押込み凹部の上方に位置する部分を押圧面部とした蓋体フランジ部と、該蓋体フランジ部の外縁部から下方に延びるスカート部と、該スカート部の下端部付近に容器内側に突出して該本体フランジ部に係止する係止部と、を備えた、
包装用容器。
【請求項２】
前記容器本体は、少なくとも一つのコーナー部を有する平面視多角形状とし、該コーナー部付近に前記押込み凹部を備えた請求項１に記載の包装用容器。
【請求項３】
前記スカート部の下端部には、外側に若干幅で突き出す延出部を備えた請求項１又は２に記載の包装用容器。
【請求項４】
前記蓋体フランジ部は、内側部分を前記本体フランジ部の傾斜面部に沿う傾斜状とした請求項１〜３のいずれかに記載の包装用容器。
【請求項５】
前記押込み凹部は、容器内側に向かい拡開する平面視三角形状乃至台形状の凹部とした請求項1〜４のいずれかに記載の包装用容器。
【請求項６】
前記押圧面部には、凹状又は凸状のポッチ部を備えた請求項１〜５のいずれかに記載の包装用容器。
【発明の詳細な説明】
【技術分野】
【０００１】
本発明は、蓋体により被覆され、鮨などの食料品等を収容することができる包装用容器に関する。
【背景技術】
【０００２】
スーパーマーケットなどの小売店において、鮨などの食料品が薄肉樹脂シートから成形された容器に収容して販売されていることがよく見かけられる。このような容器の蓋体は、容器本体に脱着できる構造としてあることが多く、食料品を収容して運搬、陳列する際には外れにくく、食料品を飲食する際には開封しやすいのが好ましいものである。
【０００３】
そこで、例えば、下記特許文献１には、内容物を収容する容器本体と、外部からこの内容物を視認可能で容器本体に被着させる蓋体とからなる包装容器における蓋体において、容器本体の蓋体受け部と係合する水平張出部を備え、その水平張出部の四隅がその四隅の近傍よりも上側に位置するように形成してあり、その四隅の少なくとも２か所に上方に突出する押圧突起を設けていることを特徴とする蓋体が開示され、この蓋体は、持ち運びする際や移動する際には取れにくい一方で、内容物を取り出すときには押圧突起を押圧して簡単に外すことができるものである。
【０００４】
また、下記特許文献２には、シート成形されて、本体フランジにコーナー部を形成した容器本体と、シート成形されて、本体フランジに蓋フランジにて外嵌合され、この蓋フランジに形成した蓋係止部にて容器本体側に係止される蓋体とからなる包装用容器であって、蓋フランジの容器本体側のコーナー部を覆う部分に、蓋体を容器本体に外嵌合したとき、外端部が本体フランジ上に接するとともに、内端部が本体フランジより浮き上がる押圧面を形成し、この押圧面に蓋フランジに連続する側面を形成し、この側面の、蓋フランジと連続する部分の長さを、本体フランジの全幅よりも長くしたことを特徴とする包装用容器が開示され、この包装用容器は、蓋体の容器本体に対する嵌合状態を確実に行うことができ、蓋体の開封時においては、押圧面を押圧して蓋体の開封を簡単かつ確実に行うことができるものである。
【先行技術文献】
【特許文献】
【０００５】
【特許文献１】特開２０１２−１７６７７４号公報
【特許文献２】特開２０１３−１８９２１１号公報
【発明の概要】
【発明が解決しようとする課題】
【０００６】
上記特許文献１の蓋体は、水平張出部（フランジ部に相当）の隅部（コーナー部に相当）に押圧突起を設け、これを押し込むことにより蓋体を簡単に外すことができるようにしたものである。しかし、押圧突起の突出幅を大きくしてしまうと容器の見映えが悪くなり、逆に突出幅を小さくすると十分に押し込むことができず、スムーズに開封できないおそれがあった。
また、蓋体のフランジ部のコーナー部付近が複雑な凹凸形状になり、熱成形するための金型が造り難く、熱成形時に抜けにくいという製造上の問題が生じるおそれもあった。
さらに、凹凸形状の高低差が大きい場合は、熱成形するためのシート厚を肉厚にしなければならず、薄肉化してコストダウンを図ることができないという問題もあった。
【０００７】
上記特許文献２の包装用容器も蓋体に本体フランジより浮き上がる押圧面を形成するものであり、上記と同様の問題が生じるおそれがあった。
【０００８】
そこで、本発明の目的は、蓋体を容器本体に外嵌合をする包装用容器において、見映えが良好でありながら、蓋体を開封しやすくした包装用容器を提供することにある。
【課題を解決するための手段】
【０００９】
本発明の一実施形態の包装用容器は、容器本体と、容器本体に外嵌合する蓋体と、を備えた包装用容器であって、容器本体は、外縁部に、外側に張り出す本体フランジ部と、本体フランジ部の内側部分を下向きに傾斜させた傾斜面部と、傾斜面部の一部に所定深さで陥没させた押込み凹部と、を備え、蓋体は、本体フランジ部を覆い、押込み凹部の上方に位置する部分を押圧面部とした蓋体フランジ部と、蓋体フランジ部の外縁部から下方に延びるスカート部と、スカート部の下端部付近に容器内側に突出して本体フランジ部に係止する係止部と、を備えたことを特徴とする。
【００１０】
このように、容器本体に所定深さで陥没させた押込み凹部を備え、蓋体に押圧面部を備えることにより、例えば、人差し指をスカート部の下端部に掛けながら押圧面部を親指で押圧することにより、スカート部を捲り上げることができるため、係止部の係止状態を解除させて、蓋体を容器本体から外しやすくなる。
【００１１】
上記形態の包装用容器は、容器本体を少なくとも一つのコーナー部を有する平面視多角形状とし、コーナー部付近に押込み凹部を備えることが好ましく、また、スカート部の下端部には、外側に若干幅で突き出す延出部を備えることが好ましい。このように、コーナー部、つまり容器の隅部に押込み凹部を備えることにより、指先で摘まみやすくなるため押圧面部を押圧しやすくなる。また、延出部を備えることにより、人差し指などの指先がスカート部に掛り、開封作業がしやすくなる。
【００１２】
上記形態の包装用容器は、蓋体フランジ部の内側部分を本体フランジ部の傾斜面部に沿う傾斜状とするのが好ましく、また、押込み凹部を容器内側に向かい拡開する平面視三角形状乃至台形状の凹部とするのが好ましい。これにより、開封作業をする際に、親指の指先が納まりやすくなり、開封作業がしやすくなる。
【００１３】
上記形態の包装用容器は、押圧面部に、凹状又は凸状のポッチ部を備えることが好ましい。これにより、押圧面部の強度が高まると共に、開封作業する際の押圧する位置がこの部分であることを認識させることができる。
【図面の簡単な説明】
【００１４】
【図１】本発明の包装用容器の一実施形態を示し、容器本体と蓋体とを分離した状態での斜視図である。
【図２】図１に示した包装用容器における容器本体を示した平面図である。
【図３】図１に示した包装用容器において、コーナー部付近の部分拡大端面図を示し、（Ａ）は容器本体と蓋体とを分離した状態、（Ｂ）は容器本体と蓋体とを嵌合した状態である。
【図４】図１に示した包装用容器において、縁部中間部付近の部分拡大端面図を示し、（Ａ）は容器本体と蓋体とを分離した状態、（Ｂ）は容器本体と蓋体とを嵌合した状態である。
【図５】図１に示した包装用容器における蓋体を示した平面図である。
【図６】図１に示した包装用容器において、容器本体と蓋体とを嵌合した状態でのコーナー部付近の部分拡大平面図である。
【図７】図１に示した包装用容器における蓋体の一変形例を示したコーナー部付近の部分拡大平面図である。
【図８】図１に示した包装用容器における蓋体の他の変形例を示したコーナー部付近の部分拡大平面図である。
【図９】図１に示した包装用容器において、開蓋作業を説明するための図である。
【発明を実施するための形態】
【００１５】
以下、本発明の包装用容器の一実施形態を図面に基づいて説明する。
【００１６】
本発明の一実施形態の包装用容器１は、図１に示すように、容器本体２と、容器本体２に外嵌合する蓋体３とを備える。
【００１７】
包装用容器１は、特に限定するものではないが、野菜、惣菜、米飯、麺類等の食料品を収容することができ、特に、容器に収容したまま食する食料品、例えば、惣菜、鮨等を収容するのが好ましい。
【００１８】
包装用容器１は、例えば、シート厚０．１０ｍｍ〜４．０ｍｍ、好ましくは０．１５ｍｍ〜２．５ｍｍの合成樹脂シートを熱成形して製造することができる。
【００１９】
合成樹脂シートとしては、特に限定するものではないが、発泡樹脂シート、非発泡樹脂シートのいずれでもよく、例えば、ポリエチレン系樹脂シートやポリプロピレン系樹脂シートなどのポリオレフィン系樹脂シート、ポリスチレン系樹脂シート、ポリエチレンテレフタレート系樹脂シートや耐熱性を付与した変性ポリエチレンテレフタレート系樹脂シートなどのポリエステル系樹脂シートなどの熱可塑性樹脂シートを挙げることができる。なかでも、電子レンジの加熱に耐え得るもの、例えば、耐熱性ポリスチレン系樹脂シート、ポリプロピレン系樹脂シート、耐熱性を付与した変性ポリエチレンテレフタレート系樹脂シートが好ましい。
また、合成樹脂シートとして積層シートを用いることもでき、積層シートとしては、例えば、合成樹脂シートにフィルムを熱ラミネートした積層シート、共押出法による積層シート、押出ラミネート法による積層シートなどを挙げることができる。
【００２０】
熱成形としては、例えば、真空成形、圧空成形、真空圧空成形、熱板成形などを挙げることができる。
【００２１】
容器本体２と蓋体３との材質は同じでも相違してもよく、例えば、容器本体２を発泡樹脂、蓋体３を非発泡樹脂から形成することができる。特に、蓋体３は非発泡樹脂から形成するのが好ましい。
また、容器本体２及び蓋体３は、黒色や白色などの有色にしても、透明や半透明などにしてもよい。容器本体２と蓋体３との色は、同じでも相違してもよく、例えば、容器本体２を白色、蓋体３を透明にすることができる。なお、本実施形態では、容器本体２を黒色、蓋体３を透明としてある。
【００２２】
容器本体２は、図１又は図２に示すように、平面視長方形状の平皿状に形成し、四隅を略直角状のコーナー部２ａとしてある。本実施形態では平面視長方形状としてあるが、これに限定されるものではなく、平面視円形乃至長円形状などにすることもでき、少なくとも一つのコーナー部（隅部）を有する、平面視正方形、五角形状、六角形状又は八角形状などの平面視多角形状にするのが好ましい。
また、容器本体２を平面視円形乃至長円状にする場合は、外縁の一部に、例えば、平面視三角形状に外方に突出する舌片部を設け、そこに後述する押込み凹部２４を設けるのが好ましい。
【００２３】
容器本体２は、図１〜４に示すように、底面部２１と、底面部２１の縁部から立ち上がる側壁面部２２と、側壁面部２２の上縁部から外方に張り出す本体フランジ部２３と、を備える。
【００２４】
底面部２１は、平面視長方形状の略水平面として形成し、側壁面部２２は、図３又は図４に示すように、底面部２１の周縁から若干の高さで略垂直状に立ち上がるように形成してあり、底面部２１及び側壁面部２２で囲われた箇所を食料品などの収容物を収容することができる収容部２１ａとしてある。
【００２５】
底面部２１の面上には、図１又は図２に示すように、容器中央付近に長手方向沿う細溝２１ｂと、斜めに略等間隔で並行する細溝２１ｂとが形成してあり、例えば、鮨などを細溝２１ｂに沿い配列することができるようにしてある。
底面部２１の周囲には、一段凹ませた周溝部２１ｃが形成してあり、食料品などから滲出した水分を貯めることができるようにしてある。また、周溝部２１ｃの各隅部付近は、さらに平面視Ｌ字状に凹ませてあり、容器本体２の脚部になるようにしてある。
【００２６】
本体フランジ部２３は、図４に示すように、側壁面部２２の上縁部から外方に張り出すように形成してあり、容器外側略半分を略水平な水平面部２３ａとし、容器内側略半分を容器内側に向かい下向きに傾斜する傾斜面部２３ｂとして形成してある。
傾斜面部２３ｂの一部（本実施形態では各コーナー部２ａ付近）には、他の部位よりも低位になるように、所定深さで陥没させた押込み凹部２４が設けてある。本実施形態では、押込み凹部２４を傾斜面部２３ｂよりも傾斜角を急にして形成してある。
【００２７】
押込み凹部２４は、谷状に形成してあり、容器内側に向かい拡開する平面視三角形乃至台形状の凹部として形成してある。このように容器内側に向かい拡開する形状とすることにより、後述する押圧面部３４を親指などで押圧した際に指先が納まりやすいようにしてある。
押込み凹部２４は、本実施形態では各コーナー部２ａの４ヶ所に設けてあるが、少なくとも１ヶ所に設けてあればよく、容器中心に対して対向するように設けておくのが蓋体３の開封操作がしやすくなり好ましい。
また、押込み凹部２４は補強リブとしての役割もあり、本実施形態のような平皿状の容器本体２の剛性を高めるのに効果的である。また、蓋体３の押圧面部３４を押圧した際に、潰されない剛性を有するものにすることができる。
【００２８】
本体フランジ部２３の外縁部には、図３に示すように、下方に延びるスカート部２５が形成してある。
スカート部２５は、断面Ｊ字乃至Ｌ字状としてあり、より詳しくは、本体フランジ部２３の外縁部から外側に拡開しながら傾斜する傾斜面とし、その下端部を水平状に外側に若干突出させてある。
スカート部２５は湾曲面状などにしてもよく、また、スカート部２５を設けなくてもよい。
【００２９】
蓋体３は、図１，図３〜５に示すように、容器本体２を覆うように形成してあり、容器本体２の形状に合わせた平面視長方形状とし、四隅を略直角状のコーナー部３ａとしてある。
蓋体３は、本実施形態では平面視長方形状としてあるが、これに限定されるものではない。容器本体２の形状に合わせるのが好ましく、少なくとも一つのコーナー部（隅部）３ａを有する平面視多角形状にするのが好ましい。
また、蓋体３を平面視円形乃至長円状にする場合は、外縁の一部に、例えば、平面視三角形状に外方に突出する舌片部を設け、そこに後述する押圧面部３４を設けるのが好ましい。
【００３０】
蓋体３は、図５に示すように、平面視長方形状の天面部３１と、天面部３１の外縁部から下方に傾斜する側壁面部３２と、側壁面部３２の下縁部から外方に張り出す蓋体フランジ部３３とを備える。
【００３１】
天面部３１は平面視長方形状の略水平面としてある。天面部３１の外縁部には、図３又は図４に示すように、外側下方に向かい拡開する傾斜面状の側壁面部３２が設けてあり、天面部３１及び側壁面部３２で容器本体２の収容部２１ａを被覆できるようにしてある。
【００３２】
蓋体フランジ部３３は、図３又は図４に示すように、側壁面部３２の下端部から所定幅で外側に張り出すように形成してあり、蓋体３を容器本体２に嵌合させた状態で、蓋体フランジ部３３が本体フランジ部２３の面上に載るように形成してある。
蓋体フランジ部３３の押込み凹部２４の上方付近、つまりコーナー部３ａ付近を押圧面部３４としてあり、蓋体フランジ部３３の外縁部には下方に向くスカート部３５が設けてある。
【００３３】
蓋体フランジ部３３は、外側略半分を略水平な水平面部３３ａとして本体フランジ部２３の水平面部２３ａの面上に載るようにしてあり、内側半分程を内側に向かい下向きに傾斜する傾斜面部３３ｂとして本体フランジ部２３の傾斜面部２３ｂの面上に載るように形成してある。
蓋体フランジ部３３は、全面を面一の平面状に形成してもよいが、傾斜面部３３ｂを設けた方が、開蓋する際に親指の指先が納まりやすくなるため好ましい。
【００３４】
押圧面部３４は、傾斜面部３３ｂの各コーナー部３ａ付近を、傾斜面部３３ｂの他の部位よりも傾斜を緩やかにして形成してあり、容器内側に向かい拡開する平面視三角形乃至台形状の傾斜面として形成してある。
押圧面部３４は、図６に示すように、容器内側に向かい拡開する幅を押込み凹部２４よりも広くし、押圧面部３４の両側が傾斜面部２３ｂに重なるようにするのが好ましい（図６のハッチング部分が重なり部分）。このようにすることにより、押圧面部３４を押圧する際に、重なり部分が支点となり後述する係止部３５ａの係止状態が解除され、開蓋操作がしやすくなる。
【００３５】
押圧面部３４の面上には、図１に示すように、半球凹状のポッチ部３４ａが設けてある。ポッチ部３４ａを設けることにより、押圧面部３４の強度が高まり押圧しやすくなる。また、ポッチ部３４ａを目印としてこの部分が押圧して開蓋する部分であることを認識しやすくなる。
ポッチ部３４ａは、本実施形態では、半球凹状に形成してあるが、凹状又は凸状に形成してあればいかなる形状でもよく、例えば、三角形状や矩形状の凹部や凸部などにしてもよく、また、図７に示すように、矢印形状の凸部又は凹部にすることもできる。
【００３６】
スカート部３５は、図３又は図４に示すように、蓋体フランジ部３３の外縁部から垂下し、下端部を本体フランジ部２３のスカート部２５の下端部よりも下方に位置させて形成してある。スカート部３５の下端部付近には、図４に示すように、容器内側に向け横長筋状に突出させた係止部３５ａが適宜間隔で形成してあり、本体フランジ部２３に係止できるようにしてある。
係止部３５ａは、本実施形態では、コーナー部３ａの両脇付近及び各辺の中間付近に設けてあるが、これに限定されるものではない。係止部３５ａをコーナー部３ａ付近に設ける場合は、コーナー部分には設けず両脇に設けるようにするのが好ましい。このようにすることにより係止部３５ａの係止状態が解除され、蓋体３の開蓋作業がしやすくなる。
【００３７】
スカート部３５は押圧面部３４の外側付近（本実施形態ではコーナー部３ａ付近）に、図８に示すように、下端部から容器外側に若干幅で突出する延出部３５ｂを設けるのが好ましい。このようにすることにより人差し指などの指先が掛りやすくなり係止部３５ａの係止が解除しやすくなる。
【００３８】
このような包装用容器１は、例えば、収容部２１ａに鮨などの食料品を収容し、蓋体３を容器本体２に被せ、蓋体３を容器本体２側に押圧して係止部３５ａを本体フランジ部２３のスカート部２５の下端部に係止させ、蓋体３を容器本体２に外嵌合させることにより閉蓋することができる。
【００３９】
包装用容器１を開蓋するには、例えば、図９に示すように、親指で押圧面部３４を押圧しながら人差し指を延出部３５ｂに掛けて捲り上げることにより、係止部３５ａが本体フランジ部３３のスカート部３５から外れて係止が解除され、蓋体３を容器本体２から外すことができる。この際、親指により押圧面部３４を押込み凹部２４内に深く押圧することができるため、スカート部３５が捲られて係止部３５ａを係止解除しやすく、蓋体３を開封しやすくなる。
【００４０】
また、図８に示すように、スカート部３５に延出部３５ｂを設けておけば、人差し指を掛けやすくなり、スカート部３５を捲り上げて係止部３５ａを係止解除しやすくなる。
【００４１】
押圧面部３４を、図６に示すように、押込み凹部２４よりも幅広にして、押圧面部３４の両側が傾斜面部２３ｂに重なるようにすれば、押圧面部３４を押圧する際、重なり部分が支点となり、スカート部３５を軽い力で捲り上げることができ、係止部３５ａの係止が解除されやすくなり、より一層開蓋しやすくなる。
【００４２】
上記実施形態の構成態様は、本発明を限定するものとして挙げたものではなく、技術目的を共通にするかぎり変更は可能であり、本発明はそのような変更を含むものである。
【符号の説明】
【００４３】
１包装用容器
２容器本体
２ａコーナー部
２１底面部
２１ａ収容部
２１ｂ細溝部
２１ｃ周溝部
２２側壁面部
２３本体フランジ部
２３ａ水平面部
２３ｂ傾斜面図
２４押込み凹部
２５スカート部
３蓋体
３ａコーナー部
３１天面部
３２側壁面部
３３蓋体フランジ部
３３ａ水平面部
３３ｂ傾斜面部
３４押圧面部
３４ａポッチ部
３５スカート部
３５ａ係止部
３５ｂ延出部
【図１】
2019206373.tif 000003
【図２】
2019206373.tif 000004
【図３】
2019206373.tif 000005
【図４】
2019206373.tif 000006
【図５】
2019206373.tif 000007
【図６】
2019206373.tif 000008
【図７】
2019206373.tif 000009
【図８】
2019206373.tif 000010
【図９】
2019206373.tif 000011